(57)【要約】【課題】被看護者の離床や離席の報知方法およびその方法を使った装置の提供。【解決手段】人の荷重の増減および空気圧の作用により作動するパネル式センサやマットスイッチで離床または離席の検知を行い、動作の遅延や信号反転などの信号変換をして検知精度を向上した。さらに音声や音や表示灯による報知方法は、専用装置又はナースコール装置との連動や、電灯線通信を含む有線方式や携帯電話を含む無線方式を利用したことにより、実情に合わせて選択できる装置を実現した。【選択図】  図７
2005152616.tif 000002
【特許請求の範囲】
【請求項１】
被看護者のベッドからの離床や起き上がりを検知するために、荷重の増減と空気圧の作用によって作動するパネル式センサをベッドのマットレスの下に設置して、該センサの電気的な信号の変化によってベッド上の人の移動を検知する方法。
【請求項２】
被看護者がベッドや車いすや椅子から離床や離席したことを報知するために、荷重の増減で作動するパネル式センサやマットスイッチをベッドや車いすや椅子に設置して、該センサが荷重減により作動した時に人が該センサ上から移動したと定義して、人がベッドや車いすや椅子から離れたことを専用装置又はナースコール装置で、有線方式や無線方式により音声や音や表示灯で報知する方法。
【請求項３】
被看護者の離床や離席または徘徊を検知るために、荷重の増減で作動するパネル式センサやシートセンサやマットスイッチなどのセンサに、該センサの出力信号を無線信号で送出する発信器および該発信器を駆動する電池を備えて一体化して、該センサの出力ケーブルを無くしたことを特徴としたセンサ。
【請求項４】
被看護者がベッドや車いすや椅子から離床や離席したことを検知るために、荷重の増減と空気圧の作用によって作動する、対向して電気的に絶縁した一対の電極板と該電極板を包み内部に空気を含んで気密性を保持する樹脂製のカバーと該電極板から電気信号を取り出すケーブルを一体化したことを特徴としたパネル式センサ。
【請求項５】
被看護者がベッドや車いすや椅子から離床や離席したことを報知するために、荷重によって作動するセンサと、該センサの電気的な信号を変換するアダプタと、該アダプタの信号により作動する有線方式および無線方式の音声や音の出力装置や表示灯とを備えたことを特徴とした装置。
【請求項６】
電極板は板状の樹脂に電極を印刷又は蒸着又は貼付け又はエッチングによって形成する方法を含み、電極形成方法およびその種類と形状を問わない、請求項４記載のセンサ。
【請求項７】
センサは、荷重によって作動するシートセンサおよびマットスイッチおよびロードセルやストレンゲージなどの電子式センサを含む請求項５記載の人がベッドや車いすや椅子から離れたことを知らせる報知器。
【請求項８】
有線方式は、ケーブルを使用したもの及び電灯線通信やモデムを含む、請求項２及び５記載の方式。
【請求項９】
無線方式は、携帯電話を含む、請求項２及び５記載の方式。
【発明の詳細な説明】
【技術分野】
【０００１】
本発明は、被看護者の離床または離席を報知する方法およびその装置に関するものである。
【背景技術】
【０００２】
病院や施設における離床または離席の検知は安全管理上必ず必要であり、このためベッド近くの床に人が踏むことで作動する方式のマットスイッチを設置したり、ベッドに光電センサを設置して被看護者が離床するのを検知するものであった。
ところが、マットスイッチは設置が目立つため踏まずに避けて通ることが可能であり、光電センサは人以外の物でも反応するため、誤動作が多く信頼性が低い欠点があった。
【発明の開示】
【発明が解決しようとする課題】
【０００３】
本発明の課題は、検知用のセンサを目立たなくするためベッドや車いすなどに直接設置して離床または離席の報知をする方法およびその方法を使った装置の提供である。
【課題を解決するための手段】
【０００４】
第一の手段は、人の荷重の増減で作動してベッドや車いすに直接設置できるパネル式センサやマットスイッチを設けたことである。
第二の手段は、上記パネル式センサやマットスイッチの電気信号を遅延したり反転させる信号変換用アダプタを設けたことである。
第三の手段は、病院や施設にある既設のナースコール装置との連動および有線方式および無線方式の音声や音の出力や表示灯からなる報知器を設けたことである。なお、前記有線方式は、ケーブルを使用したもの及び電灯線通信やモデムを含み、前記無線方式は、携帯電話を含むものとする。
【発明の効果】
【０００５】
本発明の方法および装置は、人の存在の有無を荷重の増減を利用したパネル式センサやマットスイッチで検知し、信号変換によって人が居なくなった場合にのみ信号を出力するようにしたため、離床や離席の検知が簡単かつ精度良く出来るようになったことに加え、実情に合わせた報知手段を任意に選択できるようにしたため、被看護者の徘徊監視に大変役立つものである。
【発明を実施するための最良の形態】
【０００６】
ベッドのマットレスの下や車いすの座席に簡単に設置できるパネル式センサまたはマットスイッチおよび該センサの信号を変換するアダプタおよびナースコール装置と簡単に接続できる接続アダプタおよび有線式のチャイムおよび無線式のチャイムおよび携帯型の無線受信器を組み合わせて使用できるようにした。
【実施例１】
【０００７】
以下、本発明の実施例について図を参照して説述する。
図１は、パネル式センサの一例であり、（ａ）は平面図、（ｂ）は断面図である。
１００はパネル式センサ、１０１は樹脂カバー、１０２は樹脂カバーの溶着部分、１０３はケーブル取出し部、１０４は接点信号を取り出すケーブル、１０５は電極板である。
１０１上下２枚で電極板１０５を包み、内部の空気容積を調節しながら全周を溶着して密封し、さらにケーブルの取出し部を補強のため溶着する。このような構造にすると大きさを任意に製作できる他、防滴構造となるので安定した動作ができる。
また周囲の樹脂カバーは汚れた場合の清掃が容易である。
本パネル式センサの特徴は高さが薄いことであり、ベッドや車いすに設置した時に目立たず簡単に設置できる。
【０００８】
図２は、パネル式センサの原理を説明する図である。
２０１は電極板１、２０２は電極１、２０３は電極板２、２０４は電極２、２０５はクッション材、２０６はケーブル接続点１、２０７はケーブル接続点２、２０８は内部の空気、２０９ａ，２０９ｂは接点信号取出し用リード線、２１０は上部から加わる荷重、２１１はパネル式センサを支える固定台である。
２０１および２０３の全面に形成された電極２０２および２０４は２０６および２０７を介して各々２０９ａおよび２０９ｂに取出され、荷重が加わっていない状態では２０９aと２０９ｂ間は電気的に開である。
今、１０１に上部から２１０の荷重（例えば人の体重）が加わった場合、内部の空気２０８を圧縮しつつ空気が２０１および２０３を押す。
さらに荷重が増すと２０１と２０３の間にある２０５が圧迫されて収縮し、ついに２０２と２０４が接触する。２０２と２０４が接触するとその信号は２０９ａと２０９ｂに取出され、両端子間は電気的に閉となる。
ここで重要なる事は２０８の存在であり、２０８が適量あるために２１０の荷重の変化が２０１および２０３の動作を緩やかにし、結果的に接点の作動を滑らかにしたり作動を遅延したりする役割を果たし、本発明の装置を実現する要素の一つである。
もし２０８が無ければ、荷重の変化が直接電極に伝わり、このために接点が細かな作動をし、接点信号が頻繁に出力されて誤作動の原因となる。
【０００９】
図３は、コードレスのパネル式センサまたはマットスイッチの一例を示す図である。
（ａ）は平面図を、（ｂ）は断面図を示す。
３０１はコードレスのパネル式センサまたはマットスイッチ、３０２は無線の発信器および電池である。
このような構造にするとケーブルが無いために設置場所が自由であり、ケーブルが邪魔にならないので運用が便利である。
３０２の内部は非常に低い消費電力回路でかつ、非常に薄い無線信号の発信器と薄型で容量の大きなボタン電池からなる。
発信器には複数の機器番号を設定する機能があり、このために同一場所で複数の本センサを使用しても混信することはない。
【００１０】
図4は、本発明の装置の一例を示すブロック図である。
１００はパネル式センサまたはマットスイッチ、４０１は１００の出力信号、４０２はセンサーアダプタ、４０３は４０２の出力信号、４０４はナースコール装置との接続アダプタ、４０５は病院や施設のナースコール装置、４０６はチャイム、４０７は無線信号の送信器、４０８は無線信号、４０９は無線信号の受信器である。
パネル式センサまたはマットスイッチ１００に荷重が加わった状態では４０１の接点信号は閉であり、荷重が無くなると４０１は開になる。４０１が閉から開になると、４０２が作動して出力信号４０３を出す。４０３はT時間だけ閉となる接点信号である。
この信号で４０４や４０６や４０７を作動させる。
尚、４０４、４０６、４０７は任意に選択できる。
４０４は病院や施設に既設のナースコール装置と連動させるためのもので、１００の作動で該ナースコール装置を利用して音や表示灯により報知できる。
４０７は１００の作動を無線で通達できるもので、４０９の携帯型受信器により移動中であっても場所を選ばずに音と表示灯で報知できる。
【００１１】
図５は、パネル式センサやマットスイッチをベッドに設置した一例を示す図である。
５０１はベッド、５０２はベッドの床、５０３はマットレス、１００は５０２と５０３の間に敷いたパネル式センサまたはマットスイッチである。
このように設置すると外観上センサが全く見えないので、看護者の作業への支障や非看護者の抵抗が無くなる特徴がある。
またパネル式センサまたはマットスイッチを敷く場所を考慮することによって、上半身の起き上がりだけを報知することが可能となる。
【００１２】
図６は、パネル式センサまたはマットスイッチを車いすに設置した一例を示す図である。
６０１は車いす、６０２は車いすの座席、１００は車いすの座席に設置したパネル式センサまたはマットスイッチである。
車いす用のパネル式センサまたはマットスイッチは車いすの座席に合わせたサイズであるため簡単に設置できる。
１００を設置した車いすに座った人が立つと、１００が作動して看護師や管理者に音や表示灯で離席を報知する。
【００１３】
図７は、本発明による装置の運用の一例を示す図である。
７０１は被看護者、７０２は看護師や管理者、５０１はベッド、１００はベッドのマットレスの下に設置したパネル式センサまたはマットスイッチ、４０２はセンサーアダプタ、４０７は送信器、４０８は無線信号、４０９は受信器である。７０１がベッドに寝ているとその荷重で１００は作動して出力信号は閉であり、４０２から出力信号は出ない。
今、７０１がベッドから起きると、１００が作動して出力信号は開になり、４０２が作動して出力信号が出て４０７から無線信号４０８が発信され、４０９の表示灯や音で７０２に報知する。
このようにして被看護者７０１が離床行動を起こすと、直ちに７０２に報知できるものである。
【図面の簡単な説明】
【００１４】
【図１】パネル式センサの一例を示す平面図と断面図である。
【図２】パネル式センサの原理を説明する図である。
【図３】コードレスのパネル式センサまたはマットスイッチの一例を示す図である。
【図４】本発明の装置の一例を示すブロック図である。
【図５】パネル式センサやマットスイッチをベッドに設置した一例を示す図である。
【図６】パネル式センサまたはマットスイッチを車いすに設置した一例を示す図である。
【図７】本発明による装置の運用の一例を示す図である。
【符号の説明】
【００１５】
１００  パネル式センサ    １０１  樹脂カバー    １０２  溶着部分    １０３  ケーブル取出し部    １０４  ケーブル    １０５  電極板    ２０１  電極板１    ２０２  電極１    ２０３  電極板２    ２０４  電極２    ２０５  クッション材    ２０６  ケーブル接続点１  ２０７  ケーブル接続点２    ２０８  空気    ２０９ａ，ｂ  接点信号取出し用リード線      ２１０  荷重    ２１１  固定台    ３０１  コードレスのパネル式センサまたはマットスイッチ    ３０２  無線の発信器および電池    ４０１  接点信号    ４０２  センサーアダプタ    ４０３  出力信号    ４０４  ナースコール接続アダプタ    ４０５  ナースコール装置    ４０６  チャイム  ４０７  送信器    ４０８  無線信号    ４０９  受信器    ５０１  ベッド    ５０２  ベッドの床    ５０３  マットレス    ６０１  車いす    ６０２  車いすの座席    ７０１  被看護者    ７０２看護師や管理者
【図１】
2005152616.tif 000003
【図２】
2005152616.tif 000004
【図３】
2005152616.tif 000005
【図４】
2005152616.tif 000006
【図５】
2005152616.tif 000007
【図６】
2005152616.tif 000008
【図７】
2005152616.tif 000009